(57)【要約】【課題】高度な技術や経験を必要とすることなく、各患者の口腔内環境に合わせて適切な位置で排列する。【解決手段】歯科補綴物として口腔内に装着する床に排列する人工歯であって、前庭側面または口腔側面に、歯先歯頚方向または近心遠心方向に延び前記床への排列時の方向性を示す排列方向指示部を設けた構成とする。歯先歯頚方向に延びる排列方向指示部は、下顎歯１〜４，６２〜６４および上顎歯５〜８，６５〜６７を咬合させた状態で前庭側から見て直線的に位置する。また、近心遠心方向に延びる排列方向指示部は、床９，１０への排列状態で前庭側から見て直線的に位置する。【選択図】図３
2010162329.tif 000002
【特許請求の範囲】
【請求項１】
歯科補綴物として口腔内に装着する床に排列する人工歯であって、
前庭側面または口腔側面に、歯先歯頚方向に延び前記床への排列時の方向性を示す排列方向指示部を設けたことを特徴とする人工歯。
【請求項２】
歯科補綴物として口腔内に装着する床に２以上の歯を近心遠心方向に隣接して排列する人工歯であって、
前記各歯の前庭側面または口腔側面に、歯先歯頚方向に延び前記床への排列時の方向性を示す排列方向指示部を設け、各歯の排列方向指示部を前記床への排列状態で略並行に延びるようにしたことを特徴とする人工歯。
【請求項３】
歯科補綴物として口腔内の上下顎に装着する床にそれぞれ上顎歯と下顎歯とを排列する人工歯であって、
前記上顎歯および下顎歯の前庭側面または口腔側面に、歯先歯頚方向に延び前記床への排列時の方向性を示す排列方向指示部を設け、前記上顎歯および下顎歯の排列方向指示部を前記床への排列状態で略平行に位置するようにしたことを特徴とする人工歯。
【請求項４】
前記排列方向指示部の歯頚側端部を、前記床への排列状態で近心遠心方向に略平行な最大豊隆線上に位置するようにしたことを特徴とする請求項１乃至請求項３のいずれか１項に記載の人工歯。
【請求項５】
前記排列方向指示部の歯頚側端部と、前記床への排列状態で隣接する歯の接触点とが、近心遠心方向に略平行な平面上にあるようにしたことを特徴とする請求項２に記載の人工歯。
【請求項６】
前記上顎歯と下顎歯の排列方向指示部は、中心咬合位で前庭側から見て直線的に位置するようにしたことを特徴とする請求項３に記載の人工歯。
【請求項７】
前記排列方向指示部は、前記床への排列状態で歯先側から歯頚方向に向けて延びる側溝であることを特徴とする請求項１乃至請求項５のいずれか１項に記載の人工歯。
【請求項８】
前記排列方向指示部は、突出した咬頭の近心側および遠心側に形成された小面によって形成される稜線であることを特徴とする請求項１乃至請求項５のいずれか１項に記載の人工歯。
【請求項９】
前記排列方向指示部は、前記前庭側面または口腔側面を着色することにより、前記床への排列状態で歯先側から歯頚方向に向けて延びるように形成された線であることを特徴とする請求項１乃至請求項６のいずれか１項に記載の人工歯。
【請求項１０】
歯科補綴物として口腔内に装着する床に排列する人工歯であって、
前庭側面または口腔側面に、近心遠心方向に延び前記床への排列時の方向性を示す排列方向指示部を設けたことを特徴とする人工歯。
【請求項１１】
歯科補綴物として口腔内に装着する床に２以上の歯を近心遠心方向に隣接して排列する人工歯であって、
前記各歯の前庭側面または口腔側面に、近心遠心方向に延び前記床への排列時の方向性を示す排列方向指示部を設け、各歯の排列方向指示部が前記床への排列状態で略平行に位置するようにしたことを特徴とする人工歯。
【請求項１２】
歯科補綴物として口腔内の上下顎に装着する床にそれぞれ上顎歯と下顎歯とを排列する人工歯であって、
前記上顎歯および下顎歯の前庭側面または口腔側面に、近心遠心方向に延び前記床への排列時の方向性を示す排列方向指示部を設け、前記上顎歯および下顎歯の排列方向指示部を前記床への排列状態で略並行に延びるようにしたことを特徴とする人工歯。
【請求項１３】
前記排列方向指示部を、前記床への排列状態で近心遠心方向に略平行な最大豊隆線上に位置するようにしたことを特徴とする請求項１０乃至請求項１２のいずれか１項に記載の人工歯。
【請求項１４】
前記排列方向指示部は、前記床への排列状態で前庭側から見て直線的に位置することを特徴とする請求項１１に記載の人工歯。
【請求項１５】
前庭側面または口腔側面に、歯先歯頚方向または近心遠心方向に延び床への排列時の方向性を示す排列方向指示部を設けた人工歯の排列状態を確認するための排列確認シートであって、
背部を透視可能なベースシートに、正規排列状態で前記排列方向指示部と重なる確認線を設けたことを特徴とする排列確認シート。
【発明の詳細な説明】
【技術分野】
【０００１】
歯科補綴物の作製時に容易に排列することができ、義歯装着時に容易に咀嚼できる人工歯に関する。
【背景技術】
【０００２】
歯科補綴物の作製時における人工臼歯の排列は、高度な技術と経験が必要であった。特に隣接する歯を、適切な位置関係に排列することは困難であった。即ち、義歯においては、６自由度（位置と角度）に排列できる人工歯を定まった位置に排列する必要があるうえ、それぞれの患者に合わせて作製しなければならない。しかし、上下顎に対して所定位置に排列することや、隣接歯を所定位置に排列することは極めて困難であった。そのため、従来の人工歯では、良好に咀嚼できるようにするために、排列後に大きく削合し、表面の状態を大きく変更する作業を行っていた。
【０００３】
特許文献１には、上顎臼歯の咬合面に舌側咬頭、頬側咬頭および窩が形成され、下顎対合臼歯の咬合面に舌側咬頭、頬側咬頭および窩が形成された人工臼歯が記載されている。そして、この人工臼歯は、上顎臼歯と下顎対合臼歯とが中心咬合位において、上顎臼歯の舌側咬頭が下顎対合臼歯の窩に咬合接触し、上顎臼歯の窩に下顎対合臼歯の頬側咬頭が咬合接触する構成としている。
【０００４】
この特許文献１の人工臼歯は、義歯作製にあたり、蝋歯槽堤への排列や、削合等による咬合調整が容易である。また、義歯使用時において、義歯が転倒したりすることなく安定する。しかも、食物をすりつぶしたり、噛み砕いたり、噛み切るなどの咀嚼効率において、フルバランスドオクルージョンに近い咬合が得られる。また、リンガライズドオクルージョンへの変更が義歯作製時に限らず義歯の修正時においても容易に行うことができる。
【０００５】
しかしながら、この特許文献１の人工臼歯は、対合臼歯の咬頭と窩の位置が限定される一方、排列時には咬頭と窩の位置を見極めることができないため、容易に人工歯を正規排列位置に排列することはできない。その結果、良好な咀嚼を得ることができなかったり、排列後に削合などによる調整作業が必要になる。
【先行技術文献】
【特許文献】
【０００６】
【特許文献１】特開２００２−１７７３０１号公報
【発明の概要】
【発明が解決しようとする課題】
【０００７】
本発明は、高度な技術や経験を必要とすることなく、各患者の口腔内環境に合わせて適切な位置で排列することが可能な人工臼歯を提供することを課題とする。
【課題を解決するための手段】
【０００８】
前記課題を解決するため、本発明の第１の人工歯は、歯科補綴物として口腔内に装着する床に排列する人工歯であって、前庭側面または口腔側面に、歯先歯頚方向に延び前記床への排列時の方向性を示す排列方向指示部を設けた構成としている。
この人工歯は、歯科補綴物として口腔内に装着する床に２以上の歯を近心遠心方向に隣接して排列する人工歯であって、前記各歯の前庭側面または口腔側面に、歯先歯頚方向に延び前記床への排列時の方向性を示す排列方向指示部を設け、各歯の排列方向指示部を前記床への排列状態で略並行に延びるようにしたものである。
または、歯科補綴物として口腔内の上下顎に装着する床にそれぞれ上顎歯と下顎歯とを排列する人工歯であって、前記上顎歯および下顎歯の前庭側面または口腔側面に、歯先歯頚方向に延び前記床への排列時の方向性を示す排列方向指示部を設け、前記上顎歯および下顎歯の排列方向指示部を前記床への排列状態で略平行に位置するようにしたものである。
なお、完成状態の義歯の床は樹脂製である。この樹脂製の床は、人工歯の排列後に、仮の床である蝋製の蝋堤と置き換えて形成される。そのため、本明細書において「床への排列時」とは、具体的には仮の床である蝋堤への排列時のことを意味する。
【０００９】
この第１の人工歯は、歯先歯頚方向に延びる排列方向指示部を備えているため、近心遠心方向に隣接して歯を排列する場合、各排列方向指示部が並行に延びるように排列するだけで、規定した方向に排列できる。同様に、上下に上顎歯と下顎歯を排列する場合、各排列方向指示部が平行に位置するように排列するだけで、規定した方向に排列できる。よって、高度な技術や経験を積まなくても、それぞれの歯を調整して所定位置に排列できる。
【００１０】
この人工歯では、前記排列方向指示部の歯頚側端部を、前記床への排列状態で近心遠心方向に略平行な最大豊隆線上に位置するように構成することが好ましい。このようにすれば、隣接する歯を排列する際の歯先歯頚方向の位置調整を、高度な技術や経験を積まなくても容易に行うことができる。
また、近心遠心方向に隣接して排列することを考慮すると、前記排列方向指示部の歯頚側端部と、前記床への排列状態で隣接する歯の接触点とが、近心遠心方向に略平行な平面上にあるように構成することが好ましい。このようにすれば、前記と同様に、隣接する歯を排列する際の歯先歯頚方向の位置調整を、高度な技術や経験を積まなくても容易に行うことができる。
さらに、上下に排列することを考慮すると、前記上顎歯と下顎歯の排列方向指示部は、中心咬合位で前庭側から見て直線的に位置するように構成することが好ましい。このようにすれば、上下に対合する歯を排列する際の近心遠心方向の位置調整を、高度な技術や経験を積まなくても容易に行うことができる。
【００１１】
これらの人工歯の排列方向指示部は、前記床への排列状態で歯先側から歯頚方向に向けて延びる側溝である。
または、前記排列方向指示部は、突出した咬頭の近心側および遠心側に形成された小面によって形成される稜線である。
または、前記排列方向指示部は、前記前庭側面または口腔側面を着色することにより、前記床への排列状態で歯先側から歯頚方向に向けて延びるように形成された線である。
【００１２】
また、本発明の第２の人工歯は、歯科補綴物として口腔内に装着する床に排列する人工歯であって、前庭側面または口腔側面に、近心遠心方向に延び前記床への排列時の方向性を示す排列方向指示部を設けた構成としている。
この人工歯は、歯科補綴物として口腔内に装着する床に２以上の歯を近心遠心方向に隣接して排列する人工歯であって、前記各歯の前庭側面または口腔側面に、近心遠心方向に延び前記床への排列時の方向性を示す排列方向指示部を設け、各歯の排列方向指示部が前記床への排列状態で略平行に位置するようにしたものである。
または、歯科補綴物として口腔内の上下顎に装着する床にそれぞれ上顎歯と下顎歯とを排列する人工歯であって、前記上顎歯および下顎歯の前庭側面または口腔側面に、近心遠心方向に延び前記床への排列時の方向性を示す排列方向指示部を設け、前記上顎歯および下顎歯の排列方向指示部を前記床への排列状態で略並行に延びるようにしたものである。
【００１３】
この第２の人工歯は、近心遠心方向に延びる排列方向指示部を備えているため、近心遠心方向に隣接して歯を排列する場合、各排列方向指示部が平行に位置するように排列するだけで、規定した方向に排列できる。同様に、上下に上顎歯と下顎歯を排列する場合、各排列方向指示部が並行に延びるように排列するだけで、規定した方向に排列できる。よって、高度な技術や経験を積まなくても、それぞれの歯を調整して所定位置に排列できる。
【００１４】
この人工歯では、前記排列方向指示部を、前記床への排列状態で近心遠心方向に略平行な最大豊隆線上に位置するように構成することが好ましい。このようにすれば、高度な技術や経験を積まなくても、各排列方向指示部が連続した直線状をなすように排列するだけで、隣接する歯を排列する際の歯先歯頚方向の位置調整を容易に行うことができる。
また、近心遠心方向に隣接して排列することを考慮すると、前記排列方向指示部は、前記床への排列状態で前庭側から見て直線的に位置するように構成することが好ましい。このようにすれば、前記と同様に、隣接する歯を排列する際の歯先歯頚方向の位置調整を、高度な技術や経験を積まなくても容易に行うことができる。
【００１５】
そして、これらのように、前庭側面または口腔側面に、歯先歯頚方向または近心遠心方向に延び床への排列時の方向性を示す排列方向指示部を設けた人工歯では、排列状態を確認するための排列確認シートとして、背部を透視可能なベースシートに、正規排列状態で前記排列方向指示部と重なる確認線を設けた排列確認シートを形成しておくことが好ましい。
【００１６】
このようにすれば、上顎床および下顎床に各歯を排列した状態で、前庭側面または口腔側面に排列確認シートを配置するだけで、簡単に正規排列状態に排列できているか否かを確認できる。また、排列に誤差がある場合には容易に調整することができる。よって、高度な技術や経験を積まなくても、各歯を容易に排列できる。
【発明の効果】
【００１７】
本発明の人工歯では、歯先歯頚方向または近心遠心方向に延びる排列方向指示部を備えているため、近心遠心方向に隣接して歯を排列する場合、上下に上顎歯と下顎歯を排列する場合、いずれでも高度な技術や経験を積まなくても、所定の排列方向に調整して排列できる。
【図面の簡単な説明】
【００１８】
【図１】上顎および下顎に配設する人工臼歯の基本構成を示す平面図である。
【図２】上顎臼歯および下顎臼歯をそれぞれ排列して上下に並べた状態を示す平面図である。
【図３】第１実施形態の上顎臼歯および下顎臼歯をそれぞれ排列して上下に並べた状態を示す頬側面図である。
【図４】第２実施形態の排列方向指示線を臼歯を排列した状態を示す斜視図である。
【図５】第２実施形態の排列方向指示線の形成概念を説明するための平面図である。
【図６】第３実施形態の上顎歯および下顎歯をそれぞれ一列に並べた状態を示す前庭側面図である。
【図７】第３実施形態の上顎歯および下顎歯の被蓋状態を示す前庭側面図である。
【図８】第４実施形態の上顎歯および下顎歯をそれぞれ一列に並べた状態を示す前庭側面図である。
【図９】（Ａ），（Ｂ）は第４実施形態の上顎歯の排列確認方法を示す前庭側面図である。
【図１０】（Ａ），（Ｂ）は第４実施形態の下顎歯の排列確認方法を示す前庭側面図である。
【発明を実施するための形態】
【００１９】
以下、本発明の実施の形態を図面に従って説明する。
【００２０】
本発明は、義歯である歯科補綴物として人工歯を作製するための技術である。第１実施形態は人工臼歯の作製に用いることができる技術である。この人工臼歯は、第１大臼歯、第２大臼歯、第１小臼歯および第２小臼歯があり、そのうちの２つ以上の隣り合う組み合わせであることが好ましく、更に隣り合う全ての臼歯を含めた４歯であることが好ましい。かつ、上下に向かい合う対合第１大臼歯、対合第２大臼歯、対合第１小臼歯および対合第２小臼歯を含めた４歯であることが好ましく、上下に向かい合う全ての臼歯を含めた８歯であることが好ましい。
【００２１】
なお、以下の説明では、前歯に近づく方向を近心側、逆に遠ざかる方向を遠心側という。また、口腔内である内方を舌側および口蓋側（口腔側）、口腔外である外方を頬側および唇側（前庭側）という。さらに、歯の咬合面側を咬頭（歯先）側、歯根側を歯頚側という。そして、以下の説明で参照する図１および図２は、人工臼歯の基本構成を示すものであり、その外形等は患者に応じて変更される。また、図２中破線は、各臼歯の稜部であり、その内部が咬合面となり、外部が外周面となる。
【００２２】
図１は、本発明の実施形態に係る人工臼歯を用いた人工歯を示す。人工臼歯は、下顎に排列する下顎第１大臼歯１、下顎第２大臼歯２、下顎第１小臼歯３および下顎第２小臼歯４と、対合する上顎に排列する上顎第１大臼歯５、上顎第２大臼歯６、上顎第１小臼歯７および上顎第２小臼歯８を備えている。下顎臼歯１〜４は下顎床９に排列され、上顎臼歯５〜８は上顎床１０に排列され、これら床９，１０を介して患者の口腔内に着脱可能に装着される。なお、下顎床９は、患者の舌を露出させるために略Ｕ字形状をなしている。
【００２３】
図２は、本実施形態の下顎臼歯１〜４と上顎臼歯５〜８をそれぞれ床９，１０に排列し、上顎方向から見た関係を示すものである。上側が上顎臼歯５〜８を上顎方向から見た図であり、下側が下顎臼歯１〜４を上顎方向から見た図である。但し、上顎は上顎方向から見た場合、咬合の状態がわからないため、咬合の状態を示すために、上方から見た咬合面の状態を示している。また、図中「○」印は各咬頭の咬頭頂である。
【００２４】
図示のように、下顎第１大臼歯１には、頬側の近心側に近心頬側咬頭１１が設けられ、頬側の遠心側に遠心頬側咬頭１２が設けられ、舌側の近心側に近心舌側咬頭１３が設けられ、舌側の遠心側に遠心舌側咬頭１４が設けられている。なお、この下顎第１大臼歯１には、遠心側に更に１個の咬頭を形成する場合がある。これら咬頭１１〜１４は、塊状の歯質が先細に隆起した形状をなす。また、下顎第１大臼歯１には、各一対の頬側咬頭１１，１２と舌側咬頭１３，１４により、その間に近心遠心方向に延びる中心溝１５が形成される。この中心溝１５上の所定位置には、排列状態で垂直方向の深さが最も深くなる中央窩１６が形成されている。さらに、下顎第１大臼歯１には、各一対の近心咬頭１１，１３と遠心咬頭１２，１４により、その間に頬側溝１７および舌側溝１８が形成される。これら側溝１７，１８は、中心溝１５または中央窩１６から頬側面および舌側面にかけて延びる大きな溝であり、頬側面および舌側面では、咬頭側から歯頚側に向けて延びる。
【００２５】
下顎第２大臼歯２には、頬側の近心側に近心頬側咬頭１９が設けられ、頬側の遠心側に遠心頬側咬頭２０が設けられ、舌側の近心側に近心舌側咬頭２１が設けられ、舌側の遠心側に遠心舌側咬頭２２が設けられている。これら咬頭１９〜２２は、塊状の歯質が先細に隆起した形状をなす。また、下顎第２大臼歯２には、各一対の頬側咬頭１９，２０と舌側咬頭２１，２２により、その間に近心遠心方向に延びる中心溝２３が形成される。この中心溝２３上の所定位置に中央窩２４が形成されている。さらに、下顎第２大臼歯２には、各一対の近心咬頭１９，２１と遠心咬頭２０，２２により、その間に下顎第１大臼歯１と同様の頬側溝２５および舌側溝２６が形成される。
【００２６】
下顎第１小臼歯３には、頬側に１つの頬側咬頭２７が設けられ、舌側に１つの舌側咬頭２８が設けられている。これらの咬頭２７，２８は、塊状の歯質が先細に隆起した形状をなす。また、下顎第１小臼歯３には、各咬頭２７，２８により、近心遠心方向に延びる中心溝２９が形成され、この中心溝２９上の所定位置に窩３０が形成される。
【００２７】
下顎第２小臼歯４には、頬側に１つの頬側咬頭３１が設けられ、舌側に１つの舌側咬頭３２が設けられている。これらの咬頭３１，３２は、塊状の歯質が先細に隆起した形状をなす。また、下顎第２小臼歯４には、各咬頭３１，３２により、近心遠心方向に延びる中心溝３３が形成され、この中心溝３３上の所定位置に窩３４が形成される。
【００２８】
ここで、これら下顎小臼歯３，４には、下顎大臼歯１，２のような頬側溝１７，２５および舌側溝１８，２６は形成されない。但し、一対の小臼歯３，４を連結した連結歯として作製する場合には、その連結部分に舌側溝や頬側溝のような側溝が形成される。そのため、連結歯に形成される側溝は、大臼歯１，２の頬側溝１７，２５および舌側溝１８，２６と同様に構成する。
【００２９】
一方、上顎第１大臼歯５には、頬側の近心側に近心頬側咬頭３５が設けられ、頬側の遠心側に遠心頬側咬頭３６が設けられ、舌側の近心側に近心舌側咬頭３７が設けられ、舌側の遠心側に遠心舌側咬頭３８が設けられている。これら咬頭３５〜３８は、塊状の歯質が先細に隆起した形状をなす。また、上顎第１大臼歯５には、各一対の頬側咬頭３５，３６と舌側咬頭３７，３８により、その間に近心遠心方向に延びる中心溝３９が形成され、この中心溝３９上の所定位置に中央窩４０が形成されている。さらに、上顎第１大臼歯５には、各一対の近心咬頭３５，３７と遠心咬頭３６，３８により、その間に下顎大臼歯１，２と同様の頬側溝４１および舌側溝４２が形成される。
【００３０】
上顎第２大臼歯６には、頬側の近心側に近心頬側咬頭４３が設けられ、頬側の遠心側に遠心頬側咬頭４４が設けられ、舌側の近心側に近心舌側咬頭４５が設けられ、舌側の遠心側に遠心舌側咬頭４６が設けられている。これら咬頭４３〜４６は、塊状の歯質が先細に隆起した形状をなす。また、上顎第２大臼歯６には、各一対の頬側咬頭４３，４４と舌側咬頭４５，４６により、その間に近心遠心方向に延びる中心溝４７が形成され、この中心溝４７上の所定位置に中央窩４８が形成されている。さらに、上顎第２大臼歯６には、各一対の近心咬頭４３，４５と遠心咬頭４４，４６により、その間に各大臼歯１，２，５と同様の頬側溝４９および舌側溝５０が形成される。
【００３１】
上顎第１小臼歯７には、頬側に１つの頬側咬頭５１が設けられ、舌側に１つの舌側咬頭５２が設けられている。これらの咬頭５１，５２は、塊状の歯質が先細に隆起した形状をなす。また、上顎第１小臼歯７には、各咬頭５１，５２により、近心遠心方向に延びる中心溝５３が形成され、この中心溝５３上の所定位置に窩５４が形成される。
【００３２】
上顎第２小臼歯８には、頬側に１つの頬側咬頭５５が設けられ、舌側に１つの舌側咬頭５６が設けられている。これらの咬頭５５，５６は、塊状の歯質が先細に隆起した形状をなす。また、上顎第２小臼歯８には、各咬頭５５，５６により、近心遠心方向に延びる中心溝５７が形成され、この中心溝５７上の所定位置に窩５８が形成される。
【００３３】
これら上顎小臼歯７，８には、下顎小臼歯３，４と同様に、上顎大臼歯５，６のような頬側溝４１，４９および舌側溝４２，５０は形成されない。但し、一対の小臼歯７，８を連結した連結歯として作製する場合には、その連結部分に形成される側溝を、大臼歯５，６の頬側溝４１，４９および舌側溝４２，５０と同様に構成する。
【００３４】
これらの各臼歯１〜８は、外周面が湾曲面状をなす。この外周面のうち、図３に一点鎖線で示すように、排列状態で各臼歯１〜８の最も膨らんで膨出した部分が最大豊隆線５９を構成する。なお、この最大豊隆線５９は、膨出した湾曲面の頂部からなるため、目視できるように具現化した線状に現れるものではない。本実施形態の最大豊隆線５９は、各臼歯１〜８の頬側面から見た状態で、近心遠心方向に略平行な直線状となるように構成している。また、各臼歯１〜４，５〜８の各最大豊隆線５９は、頬側面視で近心遠心方向に直線的に位置するように、咬頭歯頚方向の高さを一致させて設けられている。
【００３５】
このように最大豊隆線５９を設けた臼歯１〜４，５〜８は、床９，１０に排列すると、隣接歯１〜４，５〜８との隣接面中の最大豊隆線５９上の１点が、互いに接触した状態をなす。言い換えれば、臼歯１〜４，５〜８は、最大豊隆線５９上の１点が接触点６０となるように、湾曲面状に形成および排列される。
【００３６】
そして、本実施形態では、大臼歯１，２，５，６の頬側溝１７，２５，４１，４９および舌側溝１８，２６，４２，５０は、その歯頚側の端部が最大豊隆線５９上に位置するように構成している。即ち、頬側溝１７，２５，４１，４９および舌側溝１８，２６，４２，５０は、床９，１０への排列状態で、咬合面から頬側面および舌側面に向けて延び、この頬側面および舌側面にて最大豊隆線５９にかけて咬頭歯頚方向に延びるように形成されている。これにより、頬側溝１７，２５，４１，４９および舌側溝１８，２６，４２，５０の歯頚側端部は、排列状態で隣接歯との接触点６０と近心遠心方向と略平行な平面上にあるように構成されている。また、頬側溝１７，２５，４１，４９は、頬側面から立体的な３次元で見て略並行に設けられ、舌側溝１８，２６，４２，５０は舌側面視で略並行に設けられている。これにより、下顎大臼歯１，２の頬側溝１７，２５は上顎大臼歯５，６の頬側溝４１，４９と平行に位置し、下顎大臼歯１，２の舌側溝１８，２６は上顎大臼歯の舌側溝４２，５０と平行に位置するようになっている。なお、頬側面および舌側面に位置する頬側溝１７，２５，４１，４９および舌側溝１８，２６，４２，５０は、並行に延びればよいため側面視で湾曲した形状であってもよいが、側面視で咬頭歯頚方向に延びる直線であることが好ましい。
【００３７】
また、各臼歯１〜４，５〜８は、図１および図３に薄墨を付して示すように、床９，１０への排列状態で隣接歯間に、鼓状の隙間（空間）からなる鼓形空隙６１が形成される。この鼓形空隙６１は、図３に示すように、接触点６０より咬頭側に位置する咬頭側鼓形空隙６１ａと、接触点６０より歯頚側に位置する歯頚側鼓形空隙６１ｂとに区画される。そのため、臼歯１〜４，５〜８を排列した状態での頬側面視では、咬頭側鼓形空隙６１ａの底（深さ）は最大豊隆線５９と一致する。即ち、咬頭側鼓形空隙６１ａの深さは、頬側溝１７，２５，４１，４９および舌側溝１８，２６，４２，５０の歯頚側端部に対して、咬頭歯頚方向の高さが近心遠心方向に一致するように構成されている。
【００３８】
このように構成した臼歯１〜４，５〜８は、頬側溝１７，２５，４１，４９および舌側溝１８，２６，４２，５０の延び方向が、並行および平行に排列するための方向を指示する排列方向指示部の役割をなす。また、頬側溝１７，２５，４１，４９および舌側溝１８，２６，４２，５０の歯頚側端部、および、接触点６０を含む最大豊隆線５９が、隣接歯間の咬頭歯頚方向の排列方向（位置）を指示する排列方向指示部の役割をなす。
【００３９】
次に、このように作製した臼歯１〜８を床９，１０に排列する作業について説明する。なお、完成状態の義歯の床９，１０は樹脂製である。この樹脂製の床は、人工歯の排列後に、仮の床である蝋製の蝋堤と置き換えて形成される。具体的には、義歯は、患者から採取した型に基づいて仮床である蝋堤を作成し、その蝋堤に対して人工歯を排列することにより仮の義歯を作製する。その後、仮義歯を石膏で覆い、蝋堤を溶かして流し出した後に、樹脂を射出することにより樹脂製の床９，１０を形成し、石膏から完成した義歯を取り出するものである。
【００４０】
まず、下顎中切歯６２、下顎側切歯６３および下顎犬歯６４を排列した下顎床９に対して、下顎犬歯６４の遠心側に下顎第１小臼歯３を排列する。この際、下顎第１小臼歯３は、咬頭２７，２８の頂部が下顎犬歯６４の尖頭と歯先歯頚方向の高さが一致するように、接触点６０を接触させて排列する。
【００４１】
ついで、下顎床９に下顎第２小臼歯４を排列する。この際、下顎第２小臼歯４は、咬頭３１，３２の頬側舌側方向の位置を下顎第１小臼歯３の咬頭２７，２８に対応させる。また、下顎第１小臼歯３に対して互いの最大豊隆線５９，５９の咬頭歯頚方向の高さを一致させ、互いの接触点６０，６０を接触させて排列する。
【００４２】
ついで、下顎床９に下顎第１大臼歯１を排列する。この際、下顎第１大臼歯１は、頬側咬頭１１，１２と舌側咬頭１３，１４の頬側舌側方向の位置を、下顎第２小臼歯４の頬側咬頭３１と舌側咬頭３２に対応させる。また、下顎第２小臼歯４に対して互いの最大豊隆線５９，５９の咬頭歯頚方向の高さが一致するように排列する。そして、下顎第１大臼歯１の頬側溝１７または舌側溝１８の歯頚側端部と、近心側の接触点６０と、隣接して排列した下顎小臼歯３，４の接触点６０の各咬頭歯頚方向の高さが、近心遠心方向に直線的に位置するように排列する。
【００４３】
ついで、下顎床９に下顎第２大臼歯２を排列する。この際、下顎第２大臼歯２は、頬側咬頭１９，２０と舌側咬頭２１，２２の頬側舌側方向の位置を、下顎第１大臼歯１の頬側咬頭１１，１２と舌側咬頭１３，１４に対応させる。また、頬側溝２５および舌側溝２６を、下顎第１大臼歯１の頬側溝１７および舌側溝１８と並行に位置させ、かつ、下顎第１大臼歯１に対して互いの最大豊隆線５９，５９の咬頭歯頚方向の高さが一致するように排列する。そして、下顎第２大臼歯２の頬側溝２５または舌側溝２６の歯頚側端部と、近心側の接触点６０と、隣接して排列した下顎第１大臼歯１の頬側溝１７または舌側溝１８の歯頚側端部の各咬頭歯頚方向の高さが、近心遠心方向に直線的に位置するように排列する。
【００４４】
同様に、上顎中切歯６５、上顎側切歯６６および上顎犬歯６７を排列した上顎床１０に上顎第１小臼歯７を排列する。この際、上顎第１小臼歯７は、咬頭５１，５２の頂部が上顎犬歯６７の尖頭と歯先歯頚方向の高さが一致するように、接触点６０を接触させて排列する。
【００４５】
ついで、上顎床１０に対して上顎第２小臼歯８を排列する。この際、上顎第２小臼歯８は、咬頭５５，５６の頬側舌側方向の位置を上顎第１小臼歯７の咬頭５１，５２に対応させる。また、上顎第１小臼歯７に対して互いの最大豊隆線５９，５９の咬頭歯頚方向の高さを一致させ、互いの接触点６０，６０を接触させて排列する。
【００４６】
ついで、上顎床１０に対して上顎第１大臼歯５を排列する。この際、上顎第１大臼歯５は、頬側咬頭３５，３６と舌側咬頭３７，３８の頬側舌側方向の位置を、上顎第２小臼歯８の頬側咬頭５５と舌側咬頭５６に対応させる。また、上顎第２小臼歯８に対して互いの最大豊隆線５９，５９の咬頭歯頚方向の高さが一致するように排列する。そして、上顎第１大臼歯５の頬側溝４１または舌側溝４２の歯頚側端部と、近心側の接触点６０と、隣接して排列した上顎小臼歯５，６の接触点６０の各咬頭歯頚方向の高さが、近心遠心方向に直線的に位置するように排列する。
【００４７】
最後に、上顎床１０に上顎第２大臼歯６を排列する。この際、上顎第２大臼歯６は、頬側咬頭４３，４４と舌側咬頭４５，４６の頬側舌側方向の位置を、上顎第１大臼歯５の頬側咬頭３５，３６と舌側咬頭３７，３８に対応させる。また、頬側溝４９および舌側溝５０を、上顎第１大臼歯５の頬側溝４１および舌側溝４２と並行に位置させ、かつ、上顎第１大臼歯５に対して互いの最大豊隆線５９，５９の咬頭歯頚方向の高さが一致するように排列する。そして、上顎第２大臼歯６の頬側溝４９または舌側溝５０の歯頚側端部と、近心側の接触点６０と、隣接して排列した上顎第１大臼歯５の頬側溝４１または舌側溝４２の歯頚側端部の各咬頭歯頚方向の高さが、近心遠心方向に直線的に位置するように排列する。
【００４８】
なお、下顎小臼歯３，４および／または上顎小臼歯５，６を一体化した連結歯として作製した場合には、連結歯に形成された頬側溝または舌側溝と、下顎第１大臼歯１および／または上顎第１大臼歯５の頬側溝１７，４２または舌側溝１８，４３とを、並行に位置させるとともに、互いの歯頚側端部の咬頭歯頚方向の高さを近心遠心方向に一致させる。また、このように排列した下顎臼歯１〜４および上顎臼歯５〜８は、互いに咬合させることにより、近心遠心方向および頬側舌側方向の排列位置を調整する。
【００４９】
このように、本発明では、小臼歯３，４および７，８を連結歯として作製した場合を含み、大臼歯１，２，５，６の頬側溝１７，２５，４１，４９および舌側溝１８，２６，４２，５０を排列方向指示部として構成している。そのため、頬側溝１７，２５，４１，４９および舌側溝１８，２６，４２，５０が並行に延びるように排列するだけで、近心遠心方向に隣接させる臼歯１〜４，５〜８を、所定の方向性で簡単かつ確実に排列できる。しかも、本実施形態では、大臼歯１，２，５，６の頬側溝１７，２５，４１，４９および舌側溝１８，２６，４２，５０の歯頚側端部を、最大豊隆線５９上に位置するように構成している。そのうえ、隣接歯との接点部も、近心遠心方向に略平行な平面上にあるように構成している。そのため、頬側溝１７，２５，４１，４９および舌側溝１８，２６，４２，５０の歯頚側端部および接触点６０が近心遠心方向に直線状をなすように排列することにより、咬頭歯頚方向の高さも確実に調整できる。
【００５０】
よって、下顎臼歯１〜４および上顎臼歯５〜８を下顎床９および上顎床１０に排列するに際して、高度な技術や経験を必要とすることなく、各患者の口腔内環境に合わせて適切な位置で排列することができる。即ち、患者の口腔内は個人差が大きく、無歯顎の臨床においても、口腔内の広さや顎堤の高さや角度などさまざまであるが、そういった臨床においても、容易に短時間で人工臼歯を排列でき、口腔内の状況を再現できる。また、人工歯は仮の床である蝋堤の上に排列されるものであるため、人工歯同士の位置関係を見ることは困難であったが、容易に状況を把握できる。そして、正確な排列位置を容易に判断できるため、排列作業性を極めて向上できる。また、正確な排列が可能であるため、義歯作成後においても咀嚼が容易に行えるうえ、切る機能に加え、すり潰す、機能も付加することができる。しかも、補綴物を装着後の口腔内を美しく見せることができる。
【００５１】
図４および図５は第２実施形態の臼歯１〜４，５〜８を示す。この第２実施形態では、排列方向指示部として、最大豊隆線５９に対して直角な平面上に臼歯１〜４，５〜８の表面形状として表れる稜線である弧状表出部６８を最大豊隆線５９の近傍に設けて、かつ、各弧状表出部６８を並行に延びるようにした点で、第１実施形態と相違している。この弧状表出部６８は、図５に示すように、臼歯１〜４，５〜８の各咬頭において、近心側および遠心側に形成される小面６９，７０の境界線に連続している。
【００５２】
具体的には、下顎臼歯１〜４には、頬側咬頭１１，１２，１９，２０，２７，３１の近心頬側、および、舌側咬頭１３，１４，２１，２２，２８，３２の近心頬側に、側方運動時や中間運動時に平衡機能および咀嚼機能に関与する前方咬合小面６９が形成されている。また、下顎臼歯１〜４には、頬側咬頭１１，１２，１９，２０，２７，３１の遠心頬側、および、舌側咬頭１３，１４，２１，２２，２８，３２の遠心頬側に、側方運動時や後方運動時に咀嚼機能に関与する後方咬合小面７０が形成されている。そして、これら前方咬合小面６９と後方咬合小面７０の間には、曲率の違い等によって頬側方向に隆起し、咬頭歯頚方向に延びる弧状表出部６８が形成される。そのうち、頬側咬頭１１，１２，１９，２０，２７，３１の頬側面に形成される弧状表出部６８は、それぞれ並行に延びる排列方向指示部を構成する。
【００５３】
また、上顎臼歯５〜８には、頬側咬頭３５，３６，４３，４４，５１，５５の遠心舌側、および、舌側咬頭３７，３８，４５，４６，５２，５５の遠心舌側に、前方咬合小面６９が形成されている。また、頬側咬頭３５，３６，４３，４４，５１，５５の近心舌側、および、舌側咬頭３７，３８，４５，４６，５２，５５の近心舌側に、後方咬合小面７０が形成されている。そして、これら前方咬合小面６９と後方咬合小面７０の間には、下顎臼歯１〜４と同様に弧状表出部６８が形成される。そのうち、舌側咬頭３７，３８，４５，４６，５２，５５の舌側面に形成される弧状表出部６８は、それぞれ並行に延びる排列方向指示部を構成する。
【００５４】
このようにして形成される弧状表出部６８は、下顎大臼歯１，２の頬側面に各一対形成され、下顎小臼歯３，４の頬側面に１本形成され、上顎大臼歯５，６の舌側面に各一対形成され、上顎小臼歯７，８の舌側面に１本形成される。これらの弧状表出部６８は、前方咬合小面６９と後方咬合小面７０とが交差することによって形成される角部により構成してもよいが、曲面の頂部からなる構成とすることが好ましい。また、弧状表出部６８は、咬頭頂から歯頚にかけて帯状に連続するように形成することが好ましいが、咬頭歯頚方向に断続的に形成してもよい。この場合、少なくとも最大豊隆線５９の形成領域では、この最大豊隆線５９と交差するように弧状表出部６８を連続した帯状に形成することが好ましい。そして、弧状表出部６８は、曲面頂部かつ咬頭歯頚方向に連続して設けることにより、排列作業性を効率的に向上できる。
【００５５】
即ち、下顎臼歯１〜４および上顎臼歯５〜８を各床９，１０に排列する際には、第１実施形態と同様にして排列する。そして、各臼歯１〜８を排列する際、正しい方向性で配置した場合、弧状表出部６８が連続した帯状をなすように視認できる。一方、各臼歯１〜８を近心遠心方向に傾いた状態で配置すると、弧状表出部６８が連続した帯状をなすように表出しない。そのため、このような状態を確認することにより、作業者は排列方向にズレがあると認識できる。そして、各臼歯１〜４，５〜８の全てを正しい方向性で排列した場合には、図４に示すように、全ての弧状表出部６８が並行に延びるように表出される。そのため、各臼歯１〜８の位置調整に係る作業性を向上できる。
【００５６】
なお、本実施形態では、各大臼歯１，２，５，６の側溝１７，１８，２５，２６，４１，４２，４９，５０の歯頚側端部を第１実施形態と同様に最大豊隆線５９上に位置するように構成しているが、弧状表出部６８のみを排列方向指示部として設けた構成であってもよい。
【００５７】
図６および図７は、第３実施形態の人工歯１〜８，６２〜６７を示す。この第３実施形態は、臼歯１〜８だけでなく、前歯である下顎切歯６２，６３と下顎犬歯６４、および、上顎切歯６５，６６と上顎犬歯６７を含めた全ての人工歯の排列に関するもので、特に対合する上下歯５〜８，６５〜６７と１〜４，６２〜６４の位置関係を、設定した状態に作業性よく排列できるようにするものである。
【００５８】
具体的には、第３実施形態の人工歯１〜８，６２〜６７には、排列方向指示部として前庭側面を着色することにより、歯先歯頚方向に延びる指示線７１が設けられている。ここで、図７に示すように、中心咬合位で被蓋した状態では、下顎歯１〜４，６２〜６４の前庭側の一部が、上顎歯５〜８，６５〜６７で覆われる。また、排列後には、ワックス（仮床の蝋堤）が床用レジン（樹脂製の床）に置き換えられる。そのため、指示線７１は、この被蓋状態で覆い隠されないように、また、ワックスで覆い隠されないように、前庭面視で歯先側端縁から歯頚側端縁にかけて直線状に延びるように設けられている。ここで、直線状に延びるとは、連続した１本の線であってもよく、断続的に延びる複数の点を含む線（破線等）であってもよい。また、本実施形態では、上下に対合する上顎歯５〜８，６５〜６７と下顎歯１〜４，６２〜６４の指示線７１は、中心咬合位で直線的に位置するように設けられている。
【００５９】
なお、中心咬合位では、下顎中切歯６２は上顎中切歯６５に被蓋し、この上顎中切歯６５は更に下顎側切歯６３に被蓋し、この下顎側切歯６３は更に上顎側切歯６６に被蓋し、この上顎側切歯６６は更に下顎犬歯６４に被蓋し、この下顎犬歯６４は更に上顎犬歯６７に被蓋し、この上顎犬歯６７は更に下顎第１小臼歯３に被蓋し、この下顎第１小臼歯３は更に上顎第１小臼歯７に被蓋し、この上顎第１小臼歯７は更に下顎第２小臼歯４に被蓋し、この下顎第２小臼歯４は更に上顎第２小臼歯８に被蓋し、この上顎第２小臼歯８は更に下顎第１大臼歯１に被蓋し、この下顎第１大臼歯１は更に上顎第１大臼歯５に被蓋し、この上顎第１大臼歯５は更に下顎第２大臼歯２に被蓋し、この下顎第２大臼歯２は更に上顎第２大臼歯６に被蓋する。そのため、１本の歯しか被蓋しない下顎中切歯６２および上顎第２大臼歯６には、被蓋する対合歯６５，２の指示線７１と直線的に位置するように、１本の指示線７１がそれぞれ設けられている。また、２本の歯に被蓋する他の歯１〜７，６３〜６７には、それぞれ被蓋する２本の歯１〜８，６２〜６７の指示線７１と直線的に位置するように、２本の指示線７１が並行に設けられている。
【００６０】
これらの指示線７１の形成方法は、前庭側面の形成位置を着色する方法、および、形成位置を除く領域を着色して非着色領域で表出させる方法の両方を含む。この着色領域と非着色領域は、異なる配色であることが好ましいが、同系色のものであってもよい。但し、同色や透明色とする場合、所定周波数の光や暗中で発色または発光するものを使用することが好ましい。また、異なる配色とする場合、人工歯１〜８，６２〜６７毎または指示線７１毎でも、黒色、赤色、青色などの異なる配色としてもよい。
【００６１】
指示線７１を形成するための着色材は油性インク等、排列時や輸送時に消えない（剥がれない）ものを使用している。そして、この着色材は、口腔内に装着することにより、使用につれて自然と消えるようにしてもよいが、排列後に薬剤を使用して剥がす構成としてもよい。この着色材の着色料は、有機性材料と発色材を含み、食品添加物に指定された口腔内で利用できるものが好ましい。
【００６２】
このように構成した第３実施形態の人工歯１〜８，６２〜６７は、例えば第１実施形態と同様に、下顎中切歯６２から下顎第２大臼歯２まで遠心方向へ順番に排列するとともに、上顎中切歯６５から上顎第２大臼歯６まで順番に排列する。その後、下顎歯１〜４，６２〜６４と上顎歯５〜８，６５〜６７を咬合させ、互いに対応する指示線７１が直線的に位置するように調整する。
【００６３】
または、下顎床９に対して下顎中切歯６２を排列した後、上顎床１０に対して上顎中切歯６５を排列する。そして、これら中切歯６２，６５を咬合させ、上顎中切歯６５の近心側に位置する指示線７１と下顎中切歯６２の指示線７１とが直線的に位置するように調整する。ついで、下顎床９に対して下顎側切歯６３を排列した後、下顎側切歯６３と上顎中切を咬合させて、下顎側切歯６３の近心側の指示線７１と上顎中切歯６５の遠心側の指示線７１とが直線的に位置するように調整する。その後、上顎床１０に対して上顎側切歯６６を排列した後、上顎側切歯下顎側切歯を咬合させて、上顎側切歯６６の近心側の指示線７１と下顎側切歯６３の遠心側の指示線７１とが直線的に位置するように調整する。
【００６４】
このようにして、下顎歯１〜４，６２〜６４と上顎歯５〜８，６５〜６７を順番に床９，１０に対して排列し、その排列の度に咬合させ、先に排列した歯の遠心側の指示線７１に、後に排列した歯の近心側指示線が直線的に位置するように調整する。これを切り返しながら、最後の上顎第２大臼歯６まで排列する。そして、全ての排列および調整が完了すると、指示線７１を除去する。
【００６５】
このように、第３実施形態の人工歯１〜８，６２〜６７は、排列方向指示部として、歯先歯頚方向に延びる着色した指示線７１を設けているため、この指示線７１が下顎歯１〜４，６２〜６４と上顎歯５〜８，６５〜６７で直線的に位置するように調整するだけで、高度な技術や経験を積まなくても近心遠心方向の位置調整を容易に行うことができる。しかも、第１実施形態のように、大臼歯１，２，５，６に限られず、小臼歯３，４，７，８および前歯６２〜６７においても容易に実施できる。しかも、近年では、治療経過を保存することが望まれているが、この第３実施形態の構成によれば、写真などで排列状況を保存することができる。
【００６６】
図８から図１０は第４実施形態の人工歯１〜８，６２〜６７を示す。この第４実施形態では、排列方向指示部として頬側面を着色することにより形成する指示線７１を、近心遠心方向に延びるように設けた点で、第３実施形態と大きく相違している。また、本実施形態では、人工歯１〜８，６２〜６７を排列した状態で、その排列状態を確認するための排列確認シート７２Ａ，７２Ｂを更に設けた点で、各実施形態と相違している。
【００６７】
具体的には、図８に示すように、本実施形態の人工歯１〜８，６２〜６７には、それぞれ近心遠心方向に延びるように、一対の指示線７１，７１が設けられている。これら指示線７１，７１は、一方が歯冠において歯頚側に偏って設けられ、他方が歯先側に偏って設けられている。そして、歯頚側の指示線７１は、下顎歯１〜４，６２〜６４および上顎歯５〜８，６５〜６７において、全てが近心遠心方向へ直線的に位置するように設けられている。また、歯先側の指示線７１は、下顎歯１〜４，６２〜６４および上顎歯５〜８，６５〜６７において、最大豊隆線５９上に位置するように設けられている。
【００６８】
本実施形態では、下顎臼歯１〜４および上顎臼歯５〜８は、第１実施形態と同様に、最大豊隆線５９が直線的に位置するように構成している。そのため、これらに形成する歯先側の指示線７１は、近心遠心方向へ直線的に位置するようになっている。また、他の人工歯６２〜６７のうち、下顎前歯６２〜６４は、最大豊隆線５９が近心遠心方向に直線的に位置するように構成されている。そのため、これらに形成する歯先側の指示線７１は、近心遠心方向へ直線的に位置するようになっている。一方、上顎前歯６５〜６７は、遠心側の上顎犬歯６７を除く上顎切歯６５，６６の最大豊隆線５９が近心遠心方向に直線的に位置するように構成されている。そのため、これらに形成する歯先側指示線は、近心遠心方向へ直線的に位置するようになっている。また、上顎犬歯６７は、最大豊隆線５９が上顎臼歯５〜８と近心遠心方向に直線的に位置するように構成されている。そのため、上顎犬歯６７の指示線７１は、上顎臼歯５〜８の歯先側の指示線７１と近心遠心方向へ直線的に位置するようになっている。
【００６９】
このように構成した下顎歯１〜４，６２〜６４を正規排列状態とした場合、歯頚側に断続的に延びる１本の指示線７１の群が形成される。また、歯先側には、略連続して延びる２本の指示線７１の群が形成される。そして、これら指示線７１の群は、それぞれ歯先歯頚方向に平行に位置するとともに並行に延びる。同様に、上顎歯５〜８，６５〜６７を正規排列状態とした場合、歯頚側に断続的に延びる１本の指示線７１の群が形成される。また、歯先側には、略連続して延びる２本の指示線７１の群が形成される。そして、これら指示線７１の群は、それぞれ歯先歯頚方向に平行に位置するとともに並行に延びる。しかも、下顎歯１〜４，６２〜６４と上顎歯５〜８，６５〜６７を中心咬合位で咬合させた場合、これらの指示線７１の群がそれぞれ歯先歯頚方向に平行に位置するとともに並行に延びる。
【００７０】
この第４実施形態の人工歯１〜８，６２〜６７を排列する場合には、第１実施形態と同様に、下顎歯１〜４，６２〜６４および上顎歯５〜８，６５〜６７を、各床９，１０に対して中切歯６２，６５から遠心側へ順番に第２大臼歯２，６まで排列する。その際、上下各一対の中切歯６２，６２と６５，６５において、先に排列した中切歯６２，６５を除き、後から排列する下顎歯１〜４，６２〜６４および上顎歯５〜８，６５〜６７は、先に排列した歯の指示線７１，７１に対して、歯先側および歯頚側に位置する指示線７１，７１が近心遠心方向へ直線的に位置するように調整して排列する。また、下顎歯１〜４，６２〜６４と上顎歯５〜８，６５〜６７とは、指示線７１，７１が平行に延びるように調整して排列する。これにより、各実施形態と同様に、高度な技術や経験を積まなくても、近心遠心方向および歯先歯頚方向の位置を調整して所定位置に排列できる。
【００７１】
なお、本実施形態では、このように各床９，１０に対する人工歯１〜８，６２〜６７の排列が完了すると、図９（Ａ），（Ｂ）および図１０（Ａ），（Ｂ）に示すように、排列確認シート７２Ａ，７２Ｂにより排列状態を確認する。この排列確認シート７２Ａ，７２Ｂは、ベースシート７３に、正規排列状態での指示線７１と重なる確認線７４を設けたもので、本実施形態では、下顎歯１〜４，６２〜６４用と上顎歯５〜８，６５〜６７用の２種を設けている。ベースシート７３は、背部を透視可能な透明または半透明のものである。このベースシート７３は、弾性的に変形可能な樹脂により形成された矩形状のものである。確認線７４は、指示線７１と線幅が略同一に形成され、背部を透視不可能な不透明のものである。この確認線７４は、指示線７１と同様の油性インク、または、成型時に２色成型することによる不透明な樹脂により形成されている。
【００７２】
そして、この排列確認シート７２Ａを排列した下顎歯１〜４，６２〜６４の前庭側に配置するとともに、排列確認シート７２Ｂを上顎歯５〜８，６５〜６７の前庭側に配置し、全て指示線７１が確認線７４と重なるか否かにより、各人工歯１〜８，６２〜６７が正規排列状態で排列されているか否かを確認できる。そして、ズレが生じている人工歯１〜８，６２〜６７を発見した場合には、所定位置に調整することができる。そのため、排列を行う作業者には、高度な技術や経験は必要ない。勿論、この排列確認シート７２Ａ，７２Ｂは、全ての下顎歯１〜４，６２〜６４および上顎歯５〜８，６５〜６７を排列した後に使用するだけでなく、排列途中に使用しても良い。
【００７３】
なお、本発明の人工歯は、前記実施形態の構成に限定されるものではなく、種々の変更が可能である。
【００７４】
例えば、第１実施形態のように側溝１７，１８，２５，２６，４１，４２，４９，５０からなる排列方向指示部、および、第２実施形態のように弧状表出部６８からなる排列方向指示部の構成に、第３および第４実施形態に示す指示線７１からなる排列方向指示部の構成を組み合わせて構成してもよい。特に、第１から第３実施形態のように歯先歯頚方向に延びる排列方向指示部の構成に、第４実施形態ののように近心遠心方向に延びる排列方向指示部の構成を組み合わせると、排列精度および作業性を大幅に向上することができる。
【００７５】
また、前記実施形態では、人工歯１〜８，６２〜６７の前庭側面および／または口腔側面に排列方向指示部を設けたが、特に臼歯１〜８の場合、咬合面に咬合面観で直線状をなすように排列方向指示部を設けてもよい。このようにすれば、高度な技術や経験を積むことなく、更に精度の高い排列位置調整が可能となる。
【００７６】
さらに、第４実施形態のように、排列確認シート７２Ａ，７２Ｂを設ける構成は、第１から第３実施形態の構成、および、各実施形態を組み合わせた構成であっても、同様に適用可能である。また、この排列確認シートは、下顎歯１〜４，６２〜６４と上顎歯５〜８，６５〜６７に分けて設けることなく、１枚で構成してもよい。しかも、前記実施形態では、各一対の下顎歯１〜４，６２〜６４と上顎歯５〜８，６５〜６７の全てを覆い、全ての指示線７１に対応する確認線７４を設けたが、これらは略左右対称であるため、半分のみを設ける構成としてもよい。
【００７７】
そして、第３および第４実施形態では、大半の隣接歯同士の指示線７１が直線的に位置するように構成したが、特に排列確認シートを採用する場合には、平行および並行に設けるだけで、直線的に位置するように構成する必要はない。しかも、人工歯１〜８，６２〜６７は、患者の残存歯や顎の形状等により、外形等が微妙に異なる複数種のものがあるが、排列確認シートを採用する場合、複数種全ての指示線７１は同一部位になるように形成し、１種の排列確認シートを使用するように構成することもできる。
【符号の説明】
【００７８】
１…下顎第１大臼歯
２…下顎第２大臼歯
３…下顎第１小臼歯
４…下顎第２小臼歯
５…上顎第１大臼歯
６…上顎第２大臼歯
７…上顎第１小臼歯
８…上顎第２小臼歯
９…下顎床
１０…上顎床
１７，２５，４１，４９…頬側溝（排列方向指示部）
１８，２６，４２，５０…舌側溝（排列方向指示部）
５９…最大豊隆線
６０…接触点
６１…鼓形空隙
６２…下顎中切歯
６３…下顎側切歯
６４…下顎犬歯
６５…上顎中切歯
６６…上顎側切歯
６７…上顎犬歯
６８…弧状表出部（排列方向指示部）
６９…前方咬合小面
７０…後方咬合小面
７１…指示線（排列方向指示部）
７２Ａ，７２Ｂ…排列確認シート
７３…ベースシート
７４…確認線
【図２】
2010162329.tif 000003
【図４】
2010162329.tif 000004
【図５】
2010162329.tif 000005
【図６】
2010162329.tif 000006
【図７】
2010162329.tif 000007
【図８】
2010162329.tif 000008
【図９】
2010162329.tif 000009
【図１０】
2010162329.tif 000010
【図１】
2010162329.tif 000011
【図３】
2010162329.tif 000012